(57)【要約】      （修正有）【課題】薄鋼板やアルミ板等の金属帯のサイドトリミングで連続的に生じる鉄屑等を巻き取るスクラップの処理方法および装置を提供する。【解決手段】金属帯の両端部をトリミングするサイドトリマーの下流に配設され、前記サイドトリマーでトリミングされたスクラップを巻きつけるマンドレルと前記マンドレルを支持する軸受けとスクラップを巻き取った後、前記マンドレルを退避させる退避機構を備えた巻取り装置によるスクラップを巻取りにおいて、巻取ったスクラップを抜き取った後、新たなスクラップを巻き取るためにマンドレルを軸受けに嵌合させる際に、マンドレルの表面に潤滑油を散布して、マンドレル表面に付着した異物を除去する。【選択図】図１
2006102751.tif 000002
【特許請求の範囲】
【請求項１】
スクラップをマンドレルに巻取るスクラップの処理方法において、マンドレルから巻き取ったスクラップを抜き取った後、マンドレルの表面に潤滑油を散布して、マンドレル表面に付着した異物を除去することを特徴とするスクラップの処理方法。
【請求項２】
金属帯の両端部をトリミングするサイドトリマーの下流に配設され、前記サイドトリマーでトリミングされたスクラップを巻きつけるマンドレルと前記マンドレルを支持する軸受けとスクラップを巻き取った後、前記マンドレルを退避させる退避機構を備えた巻取り装置によるスクラップの巻取りにおいて、巻取ったスクラップを抜き取った後、新たなスクラップを巻き取るためにマンドレルを軸受けに嵌合させる際に、マンドレルの表面に潤滑油を散布して、マンドレル表面に付着した異物を除去することを特徴とするスクラップの処理方法。
【請求項３】
金属帯の両端部をトリミングするサイドトリマーの下流に配設され、前記サイドトリマーでトリミングされたスクラップを巻きつけるマンドレルと前記マンドレルを支持する軸受けとスクラップを巻き取った後、前記マンドレルを退避させる退避機構を備えた巻取り装置において、巻き取ったスクラップを取り外した後、マンドレル表面に潤滑油を散布させる機構を備えたことを特徴とするスクラップの処理装置。
【発明の詳細な説明】
【技術分野】
【０００１】
本発明は、薄鋼板やアルミ板等の金属帯のサイドトリミングで連続的に生じる鉄屑等を巻き取るスクラップの処理方法および装置に関する。
【背景技術】
【０００２】
薄鋼板製造ラインで熱間圧延された鋼帯は、酸洗設備、洗浄設備、冷間圧延設備、焼鈍設備、錫鍍金設備、亜鉛鍍金設備等の各プロセスラインにおいて、その両端を、ミルエッジ等の不揃いを取り除くため、そのライン内のサイドトリマーによって耳揃えされる。
【０００３】
この作業によりトリミング屑に呼ばれるスクラップが大量に発生する。このスクラップを処理するために、通常、ボール状に巻き取るスクラップボーラ、短い一定長に切断するスクラップチョッパ及びスクラップをプレスで小塊として処理する方式が用いられ、スクラップボーラが多用されている。
【０００４】
スクラップボーラは、長尺の帯状スクラップをマンドレルに巻き取って回収する装置であるが、連続的に発生する帯状スクラップはその形状が不安定なため安定的な巻き取りが難しく、またトリミングの際に発生する鉄粉などでマンドレル作動不良が発生しやすい。マンドレルの作動不良は薄鋼帯の巻取り寸法が小さく、使用環境が劣悪な場合、特に発生頻度が多い。
【０００５】
スクラップボーラ方式のトリミング設備の例を図２に示す。サイドトリミングは上下一対の剪断丸歯１３，１４を鋼板１１の進行方向の左右に備えたサイドトリマー１０によりおこなわれ、その後サイドトリマー1０の出側に設置した狭圧ローラ１５により切込み部を上下から狭圧してスクラップ１２を薄鋼板から分離し、前記スクラップをスクラップボーラ１６に巻き取ることにより行われる。
【０００６】
スクラップボーラへの安定的な巻き取りに関しては例えば、特許文献１、２がある。特許文献１はスクラップボーラの巻き取り速度制御装置に関し、オペレータによる巻き取り状態の監視や巻取り速度の調節がなくても円滑な巻き取りができるように搬送ラインのライン速度に対する巻き取り速度の比率を、スクラップの巻き取り径により補正したり、巻き取り径を検出して巻き取り完了操作を行う制御装置が提案されている。
【０００７】
特許文献２は連続狭幅スクラップの処理に用いるスクラップボーラに関し、従来、チャッキング装置によりスクラップを把握してマンドレルにスクラップを挿入する操作が不安定であった点を、スイングシュート上にピンチロールを設けマンドレルにスクラップを押し付けて初期巻きつけを行うことによって改善する。
【０００８】
マンドレルの動作不良は帯状スクラップの巻き取りを行うマンドレルと軸受け間に鋼帯や異物（主として鉄粉）が入り込み、噛み込みや焼付けを起こしたときに発生する。マンドレルの動作不良対策として従来マンドレル退避時にマンドレルにエアーを吹き付け、鋼帯や異物（主として鉄粉）をマンドレル表面から取り除くことが行われてきた。
【特許文献１】特開平６−２８６９３９号公報
【特許文献２】特開平８−１０８４２号公報
【発明の開示】
【発明が解決しようとする課題】
【０００９】
しかしながら、エアーを吹き付ける方法では、マンドレル表面に突き刺さる鉄粉や噛み込まれた鋼帯を完全に除去することが困難である。スクラップボールが設置される場所は狭隘な個所が多く、マンドレル自体が移動するため付着防止カバーを取り付けることも難しい。
本発明は、マンドレル表面に付着した鉄粉や、マンドレルとその軸受けの間に巻き込まれる鋼帯を確実に除去する方法を提供することを目的とする。
【課題を解決するための手段】
【００１０】
本発明の課題は以下の手段により達成できる。
１  スクラップをマンドレルに巻取るスクラップの処理方法において、マンドレルから巻き取ったスクラップを抜き取った後、マンドレルの表面に潤滑油を散布して、マンドレル表面に付着した異物を除去することを特徴とするスクラップの処理方法。
【００１１】
２  金属帯の両端部をトリミングするサイドトリマーの下流に配設され、前記サイドトリマーでトリミングされたスクラップを巻きつけるマンドレルと前記マンドレルを支持する軸受けとスクラップを巻き取った後、前記マンドレルを退避させる退避機構を備えた巻取り装置によるスクラップの巻取りにおいて、巻取ったスクラップを抜き取った後、新たなスクラップを巻き取るためにマンドレルを軸受けに嵌合させる際に、マンドレルの表面に潤滑油を散布して、マンドレル表面に付着した異物を除去することを特徴とするスクラップの処理方法。
【００１２】
３  金属帯の両端部をトリミングするサイドトリマーの下流に配設され、前記サイドトリマーでトリミングされたスクラップを巻きつけるマンドレルと前記マンドレルを支持する軸受けとスクラップを巻き取った後、前記マンドレルを退避させる退避機構を備えた巻取り装置において、巻き取ったスクラップを取り外した後、マンドレル表面に潤滑油を散布させる機構を備えたことを特徴とするスクラップの処理装置。
【発明の効果】
【００１３】
本発明に係るスクラップの巻き取り方法は、スクラップを巻き取った際、マンドレルの表面に付着した鉄屑やマンドレル表面に巻き付いたスクラップを確実に除去できるので、新たなスクラップの巻き取りのため、マンドレルを軸受けに嵌合させた際、マンドレルと軸受けが固着することが防止できる。
【発明を実施するための最良の形態】
【００１４】
本発明をサイドトリマーで薄鋼帯の両端部を切断した場合に発生するトリミング屑の巻取り装置（スクラップボーラ）を対象として詳細に説明する。サイドトリマーは既存の装置とする。
【００１５】
図１（ａ）はスクラップボーラの構成を模式的に説明する図で１はマンドレル、２は減速機、３はマンドレル１を回転させるモータ、４はマンドレル１を退避させるための油圧機構のシリンダー、５はマンドレル１を支持する軸受、６は潤滑油散布機構を示す。図はマンドレル１にトリミング屑ａを巻き取っている状態を示す。
図１（ｂ）はトリミング屑ａを巻き取るため、マンドレル１を退避させた状態を示し、マンドレル１の表面にはトリミングの際に発生した鉄粉が付着している。新たなトリミング屑を巻き取るため、鉄粉が付着している状態でマンドレルを軸受けに嵌合させると、鉄粉がマンドレルと軸受けの両者に噛み込んだ状態となりマンドレルと軸受けが固着し、マンドレルが回転不良や退避不能となる。
【００１６】
このような鉄粉のうち微細なものはマンドレル表面に突き刺さっているため、エアを吹き付けても除去できない。本発明はマンドレル表面に突き刺さっている鉄粉を除去するため潤滑油を散布することを特徴とする。
図１（ｃ）は潤滑油散布機構６により潤滑油ｂをミスト状に散布し、鉄粉を除去している状況、図１（ｄ）は鉄粉を除去したマンドレルを新たな巻き取りのため軸受け５に嵌合させた状況を模式的に示す。
【００１７】
本発明はマンドレル外周面全体から鉄粉が除去されるように潤滑油が散布されればよく特にその散布装置の構造は規定しない。また、潤滑油を散布する方法もミスト状にして吹き付けたり、液状のものを直接吹き付けたり、布状のものに潤滑油を含浸させて塗布しても良く特に規定しない。潤滑油は一般的な機械油でよく特に規定しない。
【００１８】
本発明はトリミング屑の巻き取りの際に発生する鉄粉の除去のみならず、巻き取りの際にマンドレルに巻きついてしまうトリミング屑の除去にも有効である。
【図面の簡単な説明】
【００１９】
【図１】スクラップボーラ及び本発明を説明する図で（ａ）はスクラップボーラの構造を示す模式図、（ｂ）〜（ｄ）は本発明を模式的に説明する図。
【図２】スクラップボーラ方式のトリミング設備の一例を示す図。
【符号の説明】
【００２０】
１  マンドレル
２  減速機
３  モータ
４  油圧機構のシリンダー
５  軸受
６  潤滑油散布機構
ａ  トリミング
ｂ  ミスト状の潤滑油
１０  サイドトリマー
１１  鋼板
１２  スクラップ
１３、１４  剪断丸歯
１５  狭圧ローラ
１６  スクラップボーラ
【図１】
2006102751.tif 000003
【図２】
2006102751.tif 000004